(57)【特許請求の範囲】
【請求項１】
地震、故障又は停電により昇降中のエレベーターが停止し運行不可能な状態になったとき、エレベーターの籠（２）を巻上用ワイヤーロープ（１）の取付部（ａ）と乗客用の室部（５）との２部に分離しうる構造とし、この室部に乗合せた乗客が室部の扉（７）を手動に切換えてこれを開き、この室の床面（６）が建物の床面（１０）とほぼ面一になるまで室部（５）を降下させた後、建物の扉（１１）も手動に切換えて、これを開いて建物の床面に脱出させるようにする、この室部（５）を巻上用ワイヤーロープの取付部（３）より分離し、降下させる構造としては、巻上用ワイヤーロープ取付部の両端部（４）に油圧シリンダー（１３）を固定し、この内部に組込んだ長軸のピストン（１８）の下端を室部床の突出部（９）に取付け、ピストンより下方の油圧シリンダーの油圧によりピストン（１８）を押上げて、室部が常時吊上げられた状態になるよう維持しておき、このエレベーターが昇降不可能になったとき、室部内の乗客は操作の指示書により、先ず室部内のハンドル（２２）を手前に引いて、その突起（２３）を油圧シリンダー（１３）下部の噛合い爪（１４）より外した後、ストップバルブ（２４）を開くことにより室部をその自重により徐々に降下させる、この簡単な操作により室部の床面を建物の床面にほぼ面一になるよう停止できる、このストップバルブ（２４）を開く動作によりシリンダー内の高圧の作動油は、ピストン頭部下の孔（１９）よりピストン軸内の長尺の通路（２０）、ピストン下部取付部の孔（２１）及び油圧配管（２５）を通して油タンク（２６）に逃がされて、ピストン（１８）は降下しこれを取付けた室部（５）が降下することにより、緊急時建物床面へ脱出を可能にするエレベーターの構造。
【発明の詳細な説明】
【技術分野】
【０００１】  エレベーターの昇降が不可能になったとき、これより乗客の脱出を可能にするものである。
【背景技術】
【０００２】  地震、故障等により昇降中のエレベーターが停止したとき、このエレベーターの異常有無を点検後、通電し稼動しなければならない、この間乗客の脱出は困難な状況になる、これに対し有効な対策が現在要望されている。
【発明の開示】
【発明が解決しようとする課題】
【０００３】  本発明は多層階の建物内を上下に運行するエレベーターにおいて、地震、故障などで運転不能になって停止したとき、エレベーターの籠の扉を開けても建物の梁及び壁にさえぎられているので、建物の床面上に脱出することが不可能になることが多い、しかもエレベーターの運転再開はエレベーターの点検が終わるまで不可能であって、乗客は長時間籠内に閉じ込められることになる、このため本発明は巻上機の運転によりエレベーターの籠の昇降、移動を行わずして、乗客自身の簡単操作により建物の床の位置に籠の床面をほぼ面一になるように近づけて、乗客を安全に脱出させようとするものである。
【課題を解決するための手段】
【０００４】  地震、故障又は停電により昇降中のエレベーターが停止し運行不可能な状態になったとき、エレベーターの籠２を巻上用ワイヤーロープ１の取付部３と乗客用の室部５との２部に分離しうる構造とし、この室部に乗合せた乗客が室部の扉７を手動に切換えてこれを開き、この室の床面６が建物の床面１０とほぼ面一になるまで室部５を降下させた後、建物の扉（１１）も手動に切換えて、これを開いて建物の床面に脱出させるようにする。【０００５】  この室部５を巻上用ワイヤーロープの取付部３より分離し、降下させる構造としては、巻上用ワイヤーロープ取付部の両端部４に油圧シリンダー１３を固定し、この内部に組込んだ長軸のピストン１８の下端を室部床の突出部９に取付け、ピストンより下方の油圧シリンダーの油圧によりピストン１８を押上げて、室部が常時吊上げられた状態になるよう維持しておく。【０００６】  次にこのエレベーターが昇降不可能になったとき、室部内の乗客は操作の指示書により、先ず室部内のハンドル２２を手前に引いて、その突起２３を油圧シリンダー１３下部の噛合い爪１４より外した後、ストップバルブ２４を開くことにより室部をその自重により徐々に降下させることができる。【０００７】  このとき巻上用ワイヤーの取付部３の両端４に取付けた２本の油圧シリンダー１３の外側にシリンダーの全長にわたりラック歯１５を形成して、これに各々ピニオン１６を噛み合せる、そしてこの２個のピニオンを一本の長軸１７で連結することにより両端の油圧シリンダーは同速で降下することになる、従って室部は傾くことなく水平に降下する。
このような構造になっているので乗客は上記の簡単な操作により、室部の床面を建物の床面にほぼ面一になるように停止することが出来る。【０００８】  上記のようにしてストップバルブ２４を開くことによりシリンダー内の高圧の作動油はピストン頭部下の孔１９よりピストン軸内の長尺の通路２０、ピストン下部取付部の孔２１及び油圧配管２５を通して油タンク２６に逃がされて、ピストン１８は降下しこれを取付けた室部５が降下することにより、緊急時建物床面へ脱出することが可能になる。
【発明の効果】
【０００９】  本発明により昇降不可能になったエレベーターの籠内より乗客の操作により安全に脱出が可能になる、特に大人数の乗客が数多く乗り込んでいたとき、短時間に脱出できる効果は大きい。
【図面の簡単な説明】
【００１０】
【図１】本発明の実施形態の一例としてエレベーターの乗客用の下部室部巻上用ワイヤーロープ取付部が結合しているときの側断面説明図
【図２】図１の状態の後、下部室部を巻上用ワイヤーロープの取付部より降下し懸垂したときの側断面図説明図
【図３】本発明の実施形態の一例として下部室部を巻上用のワイヤー取付部より油圧シリンダーにより懸垂する構造の側断面図
【図４】図３の平面図
【発明を実施するための形態】
【００１１】  地震、故障又は停電により昇降中のエレベーターが停止し運行不可能な状態になったとき、エレベーターの籠２を巻上用ワイヤーロープ１の取付部３と乗客用の室部５との２部に分離しうる構造とし、この室部に乗合せた乗客が室部の扉７に取付けた手動切換えつまみ８を廻して扉を開き、この下部室部の床面６が建物の床面１０とほぼ面一になるまで室部５を降下させた後、建物の扉１１に取付けた手動切換えつまみ１２を廻してこの扉を開いて建物の床面に脱出する。
【００１２】  室部５を巻上用ワイヤーロープの取付部３より分離し、降下させる構造としては、巻上用ワイヤーロープ取付部の両端部４に油圧シリンダー１３を固定し、この内部に組込んだ長軸のピストン１８の下端を室部床の突出部９に取付け、ピストンより下方の油圧シリンダーの油圧によりピストン１８を押上げて、室部が常時吊上げられた状態になるよう維持しておく。
【００１３】  次にエレベーターが昇降不可能になったとき、室部内の乗客は操作の指示書により、先ず室部内のハンドル２２を手前に引いて、その突起２３を油圧シリンダー１３下部の噛合い爪１４より外した後、ストップバルブ２４を開くことにより室部をその自重により徐々に降下させることができる。
【００１４】  上記のようにしてストップバルブ２４を開くことによりシリンダー内の高圧の作動油は、ピストン頭部下の孔１９よりピストン軸内の長尺の通路２０、ピストン下部取付部の孔２１及び油圧配管２５を通して油タンク２６に逃がされて、ピストン１８は降下しこれを取付けた室部５が降下する、そして室部の床面が建物の床面にほぼ一致するとストップバルブを閉じて室部を停止させる。
【００１５】  降下した下部室部５を引上げて元の位置にもどすためには別の油圧管路２５を通じてギアーポンプ２７等に上の油タンク２６の油をシリンダー内に圧送して室部を巻上用ワイヤーロープの取付部まで持ち上げて室部内のハンドルの突起２３をシリンダーの噛合い爪１４に結合させる、この結合を確認した後でなければエレベーターの巻上を開始してはならない。
【符号の説明】
【００１６】  １・・・巻上機のワイヤーロープ          ２・・・エレベーターの籠
３・・・巻上用ワイヤーロープの取付部
４・・・巻上用ワイヤーロープ取付部の両端部
５・・・室部                            ６・・・室部の床面
７・・・室部の扉                        ８・・・室部扉の手動切換えつまみ
９・・・室部床の突出部                １０・・・建物の床面
１１・・・建物の扉                      １２・・・建物扉手動切換えつまみ
１３・・・油圧シリンダー                １４・・・油圧シリンダーの噛合い爪
１５・・・油圧シリンダー外側のラック歯  １６・・・ピニオン
１７・・・ピニオン用長軸                １８・・・長軸のピストン
１９・・・ピストン頭部下の孔            ２０・・・ピストン軸内の長尺の通路
２１・・・ピストン下部取付部の孔        ２２・・・ハンドル
２３・・・ハンドルの突起                ２４・・・ストップバルブ
２５・・・油圧配管                      ２６・・・油タンク
２７・・・ギアーポンプ                  ２８・・・チェックバルブ
【要約】      （修正有）【課題】エレベーターの昇降が不可能になったとき、乗客の脱出を可能にする装置を提供する。【解決手段】地震、故障又は停電により昇降中のエレベーターが停止し運行不可能な状態になったとき、エレベーターの籠２を巻上用ワイヤーロープ１の取付部３と乗客用の室部５とに分離し、この室部の乗客が室部の扉７を手動で開き、この室の床面６が建物の床面１０と面一になるまで室部５を降下させた後、建物の扉１１も手動で開いて建物に脱出する、この室部５の降下方法としては、巻上用ワイヤーロープ取付部上に設置された油圧シリンダー１３内のピストン下の圧力を逃がして室部５を降下させる、又長尺の角ねじ棒２９を回転して室部５を降下させる、及び巻上用ワイヤーロープ取付部３上に設置された小型巻上機３８で、ワイヤーロープ３９を巻戻して室部５を降下させる方法がある。【選択図】図２【図１】
0005709118.tif 000002
【図２】
0005709118.tif 000003
【図３】
0005709118.tif 000004
【図４】
0005709118.tif 000005